(57)【要約】【課題】  偏荷重を有する光ディスクを再生する場合であっても、簡単かつ省スペースな構成でピックアップ部が光ディスクに記録されたデータを正確に読み取ることができなくなることを防止することができる光ディスク再生装置を提供する。【解決手段】  筐体と、ターンテーブルと、スピンドルモータと、ピックアップ部と、ピックアップ部をスライドするピックアップ駆動部と、スピンドルモータ及びピックアップ駆動部を固定しピックアップ部のスライド方向に対して略直角となる方向の両端部分にそれぞれ外側に垂直面を成す側面部を備えるシャーシ部と、筐体に固定されシャーシ部を保持するスプリングと、筐体に固定されるベース部と、ベース部に固定され側面部の垂直面に近接し当該垂直面に対して平行な垂直面を備える弾性体とを備える。【選択図】      図４
2008059721.tif 000002
【特許請求の範囲】
【請求項１】
光ディスクに記録されているデータを再生する光ディスク再生装置において、
筐体と、
光ディスクを載置するターンテーブルと、
前記ターンテーブルを回転させるスピンドルモータと、
前記ターンテーブルに載置された光ディスクに記録されたデータを読み取るピックアップ部と、
前記ピックアップ部をスライドするピックアップ駆動部と、
前記スピンドルモータ及び前記ピックアップ駆動部を固定し前記ピックアップ部のスライド方向に対して略直角となる方向の両端部分にそれぞれ外側に垂直面を成す側面部を備えるシャーシ部と、
前記筐体に固定され前記シャーシ部を保持するスプリングと、
前記筐体に固定されるベース部と、
前記ベース部に固定され前記側面部の垂直面に近接し当該垂直面に対して平行な垂直面を備える弾性体とを備えることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、外部からの衝撃や振動によって、光ディスクに記録されたデータを正確に読み取ることができなくなることを防止するために、光ディスクに記録されたデータを読み取るディスク再生部をスプリングやゴム部材などの弾性部材を介して筐体に固定するものが知られている（例えば、特許文献１参照。）。
【０００３】
図５は、従来の光ディスク再生装置のディスク再生部を示す図で、図５（ａ）は上面図、図５（ｂ）は前面図である。
図５（ａ）においては、矢印Ａ方向を従来の光ディスク再生装置の前方とする。
従来の光ディスク再生装置１００は、ディスク再生部２００、図示しない筐体、前面パネル、出力部、制御部、トレイ駆動部、操作部、ディスクトレイ及びＤＡＣ（Ｄｉｇｉｔａ１  Ａｎａ１ｏｇ  Ｃｏｎｖｅｒｔｅｒ）を備える。
【０００４】
ディスク再生部２００は、ターンテーブル１１、スピンドルモータ１２、ピックアップ駆動部１３、ピックアップ部１４、ゴムブッシュ１５及びスプリング１６を備える。
【０００５】
シャーシ部２０１は、前後方向に縦長の直方形を形成する平板であり、前方及び後方の左右部分にそれぞれ孔２０３を備える。シャーシ部２０１は、上面にスピンドルモータ１２、ピックアップ駆動部１３を固定する。スピンドルモータ１２は、シャーシ部２０１の前方の略中央の位置に配設され、ピックアップ駆動部１３は、スピンドルモータ１２の後方となる位置に配設される。スピンドルモータ１２は、ターンテーブル１１を軸支し、制御部の制御により、ターンテーブル１１を回転させる。ピックアップ駆動部１３は、シャフト１３１を備え、ピックアップ部１４に備える図示しない溝をシャフト１３１に挿入することによって、このシャフト１３１の軸方向に自在にスライド可能となる。ピックアップ駆動部１３は、制御部の制御により、ピックアップ部１４をシャフト１３１の軸方向にスライド駆動する。
【０００６】
ゴムブッシュ１５は、円周上に溝が形成され、孔２０３の内壁にこの溝を押し込むことによってそれぞれの孔２０３の内壁に保持される。スプリング１６は、上端部分がゴムブッシュ１５の下面に接着剤によってそれぞれ固定され、下端部分が筐体２０の内部に接着剤によって固定される。シャーシ部２０１は、下面と筐体２０の上面との間に弾性を有するスプリング１６が介在することによって、筐体２０の上方に浮いた状態で保持される。
【０００７】
前面パネルは、貫通する開口孔を備え、筐体の前面に固定されている。操作部は、開閉釦、再生釦及び停止釦を備え、それぞれ前面パネルに固定されている。開閉釦、再生釦及び停止釦は、押圧されることにより、それぞれ開閉指示信号、再生指示信号及び停止指示信号を制御部に出力する。
【０００８】
制御部は、操作部の開閉釦から開閉指示信号が出力される毎に、ディスクトレイを開閉するようトレイ駆動部を制御する。ディスクトレイは、光ディスクを載置する。トレイ駆動部は、制御部の制御によりディスクトレイを筐体の内部から開口孔より前方に突出する位置にスライドし、また、ディスクトレイを前面パネルの前方から開口孔を通過して筐体の内部にスライドする。
【０００９】
制御部は、再生釦から再生指示信号が出力されると、ディスクトレイによって筐体の内部に搬送された光ディスクを再生するようディスク再生部２００を制御し、また、停止釦から停止指示信号が出力されると、ディスク再生部２００による光ディスクの再生を停止するようディスク再生部２００を制御する。
【００１０】
ターンテーブル１１は、ディスクトレイによって筐体の内部に搬送された光ディスクを固定する。スピンドルモータ１２は、制御部の制御によりターンテーブル１１を回転させる。ピックアップ駆動部１３は、制御部の制御により、シャフト１３１の軸方向にピックアップ部１４をスライド駆動させる。ピックアップ部１４は、光ディスクに記録されたオーディオデータを読み取る。ＤＡＣは、ピックアップ部１４が読み取ったオーディオデータをアナログのオーディオ信号に変換し、出力部に出力する。出力部は、ＤＡＣから出力されたオーディオ信号を出力する。
【００１１】
以上の構成により、光ディスク再生装置１００は、ディスクトレイに載置した光ディスクを筐体の内部にスライドさせた後、ディスク再生部２００のターンテーブル１１に載置された光ディスクを回転させ、ピックアップ部１４が光ディスクに記録されたデータを読み取ることによって、光ディスクに記録されたオーディオデータを再生することができる。
【００１２】
図６は、従来のディスク再生部２００を示す図で、図６（ａ）はターンテーブル１１に光ディスクが固定された後スピンドルモータ１２がターンテーブル１１を回転させている状態を示す上面図、図６（ｂ）は図６（ａ）の前面図である。
図６（ａ）においては、矢印Ａ方向を光ディスク再生装置１００の前方とする。
【００１３】
図６（ａ）に示すように、ターンテーブル１１が光ディスク１０を回転させ、ピックアップ部１４が光ディスク１０に記録されたデータを読み取っているときに、例えば、筐体２０の下方から筐体２０に衝撃が加わった場合、図６（ｂ）に示すように、スプリング１６が筐体２０に加わった下方からの衝撃を減衰することによって、外部からの衝撃がシャーシ部２０１に固定されたピックアップ部１４やスピンドルモータ１２に直接伝達することを防止する。このことによって、筐体２０の外部から加わった衝撃がシャーシ部２０１に直接伝達し、ピックアップ部１４が光ディスク１０に記録されたデータを正確に読み取ることができなくなることを防止することができる。
【００１４】
【特許文献１】特開平１０−１３４４６７号公報
【発明の開示】
【発明が解決しようとする課題】
【００１５】
近年、光ディスク再生装置としてＣＤ（Compact Disc）やＤＶＤ（Digital Versatile Disc）などの複数種の光ディスクを再生可能とするものが知られている。これらの複数種の光ディスクを再生可能な光ディスク再生装置は、光ディスクを回転させてピックアップ部により光ディスクに記録されたデータの読み込みを行う場合、再生する光ディスクの種類に応じて、スピンドルモータ１２の回転速度を変化させることが一般的である。例えば、通常、ＣＤを再生する場合は、３００ｒｐｍ〜５００ｒｐｍ程度の回転速度で光ディスクを回転させ、ＤＶＤを再生する場合は、１０００ｒｐｍ以上の回転速度で光ディスクを回転させる必要がある。
【００１６】
図７は、従来の光ディスク再生装置１００がＣＤである光ディスク１０を３００ｒｐｍの回転速度で回転させて、光ディスク１０に記録されたデータを再生する状態を示す図で、図７（ａ）はターンテーブル１１に光ディスク１０が固定された後スピンドルモータ１２がターンテーブル１１を回転させている状態を示す上面図、図７（ｂ）は図７（ａ）の前面図である。
図７（ａ）においては、矢印Ａ方向を光ディスク再生装置１００の前方とする。
【００１７】
一般的に、光ディスクは、回転軸に対して偏荷重を有することが多い。このため、偏荷重を有するＣＤを、例えば、ターンテーブル１１によって３００ｒｐｍの回転速度で回転させると、光ディスク１０は、自身が有する偏荷重により外周方向に慣性モーメントが生じるため、光ディスク１０の表面に対して水平方向に振動しようとする力が生じる。この結果、図７（ａ）及び図７（ｂ）に示すように、スプリング１６によって筐体２０から浮いた状態で保持されているシャーシ部２０１は、光ディスク１０が水平方向に振動しようとする力に同期して水平方向に振動する。このため、この振動の影響でピックアップ部１４のスライド位置がズレてしまい、光ディスク１０に記録されたデータを正確に読み取ることができなくなってしまう。
【００１８】
図８は、従来の光ディスク再生装置１００がＤＶＤである光ディスク１０を１０００ｒｐｍの回転速度で回転させて、光ディスク１０に記録されたデータを再生する状態を示す図で、図８（ａ）はターンテーブル１１に光ディスク１０が固定された後スピンドルモータ１２がターンテーブル１１を回転させている状態を示す上面図、図８（ｂ）は図８（ａ）の前面図である。
図８（ａ）においては、矢印Ａ方向を光ディスク再生装置１００の前方とする。
【００１９】
偏荷重を有する光ディスクを高速で回転させる場合は、低速で回転させる場合と比較して、光ディスクから生じる振動の固有振動数が高くなる。
【００２０】
このため、図７に示すように、偏荷重を有するＣＤを３００ｒｐｍの回転速度で回転させた場合にシャーシ部２０１が水平方向に振動した場合に較べ、ＤＶＤを１０００ｒｐｍの回転速度で回転させた場合、光ディスクから生じる振動の固有振動数が高いため、図８（ａ）及び図８（ｂ）に示すように、シャーシ部２０１は自身の有する慣性モーメントによって、前端の略中心から後端の略中心を軸として回転する方向に振動する力が生じる。このため、この振動の影響でピックアップ部１４のスライド位置がズレてしまい、光ディスク１０に記録されたデータを正確に読み取ることができなくなってしまう。
【００２１】
このように、ＣＤやＤＶＤ等の複数種の光ディスクを再生することができる光ディスク再生装置においては、光ディスクの回転速度の変化によって、シャーシ部２０１が水平方向に振動したり、また、シャーシ部２０１が前端の略中心から後端の略中心を軸として回転する方向に振動する。このため、ピックアップ部１４が光ディスク１０に記録されたデータを正確に読み取ることができなくなってしまうことを防止するために、シャーシ部２０１の振動を抑制することが必要となる。しかしながら、光ディスクの回転速度の変化に応じてシャーシ部２０１の振動方向が変化してしまうと、これらのシャーシ部２０１の振動を抑制するためには、例えば、シャーシ部２０１の周囲全体に振動を抑制するための部材を備える必要がある。このため、筐体２０の内部に多くのスペースが必要となり、光ディスク再生装置１が大型化してしまう。また、シャーシ部２０１の周囲全体に振動を抑制するための部材を備える構成とすると、これらの部材を備えるためのコストが必要となり、光ディスク再生装置１のコストが上昇してしまう。
【００２２】
本発明は、光ディスクに記録されているデータを再生する光ディスク再生装置において、偏荷重を有する光ディスクの回転速度を変化させて当該光ディスクに記録されたデータを読み取る場合であっても、簡単かつ省スペースな構成でピックアップ部が光ディスクに記録されたデータを正確に読み取ることができなくなることを防止することができる光ディスク再生装置を提供することを目的とする。
【課題を解決するための手段】
【００２３】
本願の請求項１記載の発明は、光ディスクに記録されているデータを再生する光ディスク再生装置において、筐体と、光ディスクを載置するターンテーブルと、前記ターンテーブルを回転させるスピンドルモータと、前記ターンテーブルに載置された光ディスクに記録されたデータを読み取るピックアップ部と、前記ピックアップ部をスライドするピックアップ駆動部と、前記スピンドルモータ及び前記ピックアップ駆動部を固定し前記ピックアップ部のスライド方向に対して略直角となる方向の両端部分にそれぞれ外側に垂直面を成す側面部を備えるシャーシ部と、前記筐体に固定され前記シャーシ部を保持するスプリングと、前記筐体に固定されるベース部と、前記ベース部に固定され前記側面部の垂直面に近接し当該垂直面に対して平行な垂直面を備える弾性体とを備えることを特徴とする。
【発明の効果】
【００２４】
本発明によれば、光ディスクに記録されているデータを再生する光ディスク再生装置において、偏荷重を有する光ディスクの回転速度を変化させて当該光ディスクに記録されたデータを読み取る場合であっても、簡単かつ省スペースな構成でピックアップ部が光ディスクに記録されたデータを正確に読み取ることができなくなることを防止することができる光ディスク再生装置を提供することができる。
【発明を実施するための最良の形態】
【００２５】
本発明の実施の形態を図面を参照して説明する。なお、従来技術で示した構成要素と同一の部分については同符号を用いる。
【００２６】
図１は、本発明の一実施例の光ディスク再生装置を示す斜視図である。
光ディスク再生装置１は、ディスク再生部２、出力部３、制御部４、表示部５、トレイ駆動部８、操作部９、筐体２０、前面パネル２１、ディスクトレイ８０１及び図示しないＤＡＣ（Ｄｉｇｉｔａ１  Ａｎａ１ｏｇ  Ｃｏｎｖｅｒｔｅｒ）を備える。
【００２７】
前面パネル２１は、貫通する開口孔２１０を備え、筐体２０の前面に固定されている。トレイ駆動部８、制御部４、ディスク再生部２及びＤＡＣは、筐体２０の内部に固定され、表示部５及び操作部９は、前面パネル２１に固定される。
【００２８】
操作部９は、開閉釦９０１、再生釦９０２及び停止釦９０３を備え、それぞれ前面パネル２１に固定されている。開閉釦９０１、再生釦９０２及び停止釦９０３は、押圧されることにより、それぞれ開閉指示信号、再生指示信号及び停止指示信号を制御部４に出力する。
【００２９】
制御部４は、操作部９の開閉釦９０１から開閉指示信号が出力される毎に、ディスクトレイ８０１を開閉するようトレイ駆動部８を制御する。ディスクトレイ８０１は、光ディスク１０を載置する。トレイ駆動部８は、制御部４の制御によりディスクトレイ８０１を筐体２０の内部から開口孔２１０より前方に突出する位置にスライドし、また、ディスクトレイ８０１を前面パネル２１の前方から開口孔２１０を通過して筐体２０の内部にスライドする。
【００３０】
制御部４は、再生釦９０２から再生指示信号が出力されると、ディスクトレイ８０１によって筐体２０の内部に搬送された光ディスク１０を再生するようディスク再生部２を制御し、また、停止釦９０３から停止指示信号が出力されると、ディスク再生部２による光ディスク１０の再生を停止するようディスク再生部２を制御する。
【００３１】
図２は、本実施例のディスク再生部２を示す図で、図２（ａ）は上面図、図２（ｂ）は前面図である。
図２（ａ）においては、矢印Ａ方向を光ディスク再生装置１の前方とする。
【００３２】
ディスク再生部２は、ターンテーブル１１、スピンドルモータ１２、ピックアップ駆動部１３、ピックアップ部１４、ゴムブッシュ１５、スプリング１６、ベース部１７及び弾性部１８を備える。
【００３３】
シャーシ部２０１は、前後方向の長さＢが左右方向の長さＣよりも長い直方形を形成する平板であり、前方及び後方の左右部分にそれぞれ孔２０３を備える。シャーシ部２０１の右端及び左端には、直角に折り曲げられ外側に略垂直な垂直面２０４を備える側面部２０２をそれぞれ備える。
【００３４】
シャーシ部２０１は、上面にスピンドルモータ１２、ピックアップ駆動部１３を固定する。スピンドルモータ１２は、シャーシ部２０１の前方の略中央の位置に配設され、ピックアップ駆動部１３は、スピンドルモータ１２の後方となる位置に配設される。スピンドルモータ１２は、ターンテーブル１１を軸支し、制御部４の制御により、ターンテーブル１１を回転させる。ピックアップ駆動部１３は、シャフト１３１を備え、ピックアップ部１４に備える図示しない溝をシャフト１３１に挿入することによって、このシャフト１３１の軸方向に自在にスライド可能となる。ピックアップ駆動部１３は、制御部４の制御により、ピックアップ部１４を矢印Ｄ及び矢印Ｅ方向にスライド駆動する。
【００３５】
ゴムブッシュ１５は、円周上に溝が形成され、孔２０３の内壁にこの溝を押し込むことによってそれぞれの孔２０３の内壁に保持される。スプリング１６は、上端部分がゴムブッシュ１５の下面に接着剤によってそれぞれ固定され、下端部分が筐体２０の内部に接着剤によって固定される。シャーシ部２０１は、下面と筐体２０の上面との間に弾性を有するスプリング１６が介在することによって、筐体２０の上方に浮いた状態で保持される。
【００３６】
ベース部１７は、シャーシ部２０１に対して右側及び左側となる位置にそれぞれ配設され、下端が筐体２０に固定されている。弾性部１８は、円柱形を成すゴム部材であり、シャーシ部２０１の左右に配設されたベース部１７の内側にそれぞれ接着剤によって固定される。シャーシ部２０１の左右に配設されたベース部１７に固定されたそれぞれの弾性部１８の内側の面には、それぞれ垂直面２０４を備える。弾性部１８は、垂直面２０４がシャーシ部２０１の側面部２０２の垂直面２０４に近接した位置であって、垂直面１８１がシャーシ部２０１の垂直面２０４と平行となるようにそれぞれ配設される。
【００３７】
ターンテーブル１１は、ディスクトレイ８０１によって筐体２０の内部に搬送された光ディスク１０を固定する。スピンドルモータ１２は、制御部４の制御によりターンテーブル１１を回転させる。ピックアップ駆動部１３は、制御部４の制御により、シャフト１３１の軸方向にピックアップ部１４を矢印Ｄ及び矢印Ｅ方向にスライド駆動させる。ピックアップ部１４は、光ディスク１０に記録されたオーディオデータを読み取る。
【００３８】
ＤＡＣは、ピックアップ部１４が読み取ったオーディオデータをアナログのオーディオ信号に変換し、出力部３に出力する。出力部３は、ＤＡＣから出力されたオーディオ信号を出力する。表示部５は、光ディスク１０に記録されているオーディオデータのトラック数や再生するオーディオ信号のトラック番号及び再生経過時間等の情報を表示する。
【００３９】
以上の構成により、光ディスク再生装置１は、ディスクトレイ８０１に載置した光ディスク１０を筐体２０の内部にスライドさせた後、ディスク再生部２のターンテーブル１１に載置された光ディスク１０を回転させ、ピックアップ部１４が光ディスク１０に記録されたデータを読み取ることによって、光ディスク１０に記録されたオーディオデータを再生することができる。
【００４０】
図３は、本実施例のディスク再生部２を示す図で、図３（ａ）はターンテーブル１１に光ディスク１０が固定された後スピンドルモータ１２がターンテーブル１１を回転させている状態を示す上面図、図３（ｂ）は図３（ａ）の前面図である。
図３（ａ）においては、矢印Ａ方向を光ディスク再生装置１の前方とする。
【００４１】
図３（ａ）に示すように、ターンテーブル１１が光ディスク１０を回転させ、ピックアップ部１４が光ディスク１０に記録されたデータを読み取っているときに、例えば、筐体２０の下方から筐体２０に衝撃が加わった場合、図３（ｂ）に示すように、スプリング１６が筐体２０に加わった下方からの衝撃を減衰することによって、外部からの衝撃がシャーシ部２０１に固定されたピックアップ部１４やスピンドルモータ１２に直接伝達することを防止する。
【００４２】
図４は、本実施例の光ディスク再生装置１が偏荷重を有する光ディスク１０を再生する状態を示す図で、図４（ａ）はターンテーブル１１に光ディスク１０が固定された後スピンドルモータ１２がターンテーブル１１を回転させている状態を示す上面図、図４（ｂ）は図４（ａ）の前面図である。
図４（ａ）においては、矢印Ａ方向を光ディスク再生装置１の前方とする。
【００４３】
光ディスク１０は、回転軸に対して偏荷重を有している場合、この光ディスク１０を、例えば３００ｒｐｍの回転速度で回転させると、光ディスク１０が有する偏荷重により外周方向に対して慣性モーメントが生じるため、光ディスク１０の表面に対して水平方向に振動しようとする力が生じる。このとき、図２（ａ）に示すように、シャーシ部２０１の前後方向の長さＢが左右方向の長さＣよりも長い直方形を形成する平板であって、このシャーシ部２０１の略中央の位置にスピンドルモータ１２及びピックアップ部１４が配設されている場合、シャーシ部２０１の前後方向の長さＢが左右方向の長さＣよりも長いことにより、シャーシ部２０１の有する左右方向の慣性モーメントは前後方向の慣性モーメントよりも低くなるため、シャーシ部２０１は、図４（ａ）に示す矢印Ｆ及び矢印Ｇ方向に振動しようとする力が生じる。しかしながら、シャーシ部２０１の左右にそれぞれ配設された弾性部１８の垂直面１８１がシャーシ部２０１の左右のそれぞれの側面部２０２の垂直面２０４に近接していることにより、シャーシ部２０１が矢印Ｆ及び矢印Ｇ方向に振動しようとしても、左右の側面部２０２の垂直面２０４が弾性部１８の垂直面１８１に当接し、シャーシ部２０１が左右に振動しようとする力を減衰することによって、シャーシ部２０１の矢印Ｆ及び矢印Ｇ方向の振動を抑制することができる。
【００４４】
また、前述したように、シャーシ部２０１の有する左右方向の慣性モーメントは前後方向に対する慣性モーメントよりも低いため、偏荷重を有する光ディスク１０を、例えば１０００ｒｐｍの回転速度で回転させると、シャーシ部２０１は自身の有する前後方向に対する慣性モーメントよりも低い左右方向に対する慣性モーメントの作用によって、前端の略中心から後端の略中心を軸として回転する方向に振動しようとする力が生じる。しかしながら、シャーシ部２０１の左右にそれぞれ配設された弾性部１８の垂直面１８１がシャーシ部２０１の左右の側面部２０２の垂直面２０４に近接し、弾性部１８の垂直面１８１が側面部２０２の垂直面２０４に対して平行を成していることにより、シャーシ部２０１が前端の略中心から後端の略中心を軸として回転する方向に振動しようとしても、左右の側面部２０２の垂直面２０４が弾性部１８の垂直面１８１に当接し、シャーシ部２０１が回転する方向に振動しようとする力を減衰することによって、シャーシ部２０１の回転する方向への振動を抑制することができる。
【００４５】
以上の構成により、本実施例の光ディスク再生装置１は、偏荷重を有する光ディスク１０を回転させることによって、シャーシ部２０１が水平方向に振動しようとする力が生じても、シャーシ部２０１が図４に示す矢印Ｆ及び矢印Ｇ方向に振動することを抑制することができるので、シャーシ部２０１の水平方向の振動の影響によってピックアップ部１４が光ディスク１０に記録されたデータを正確に読み取ることができなくなってしまうことを防止することができる。
【００４６】
また、本実施例の光ディスク再生装置１は、偏荷重を有する光ディスク１０を回転させることによって、シャーシ部２０１が前端の略中心から後端の略中心を軸として回転する方向に振動しようとする力が生じても、シャーシ部２０１が回転する方向に振動することを抑制することができるので、シャーシ部２０１の回転方向の振動の影響によってピックアップ部１４が光ディスク１０に記録されたデータを正確に読み取ることができなくなってしまうことを防止することができる。
【００４７】
スピンドルモータによって光ディスクを回転させ、光ディスクに記録されたデータをピックアップ部によって読み取るディスク再生部の構成としては、スピンドルモータ及びピックアップ駆動部をシャーシ部２０１に固定し、このシャーシ部２０１を外部からの衝撃から保護するために、スプリングによって筐体から浮いた状態とすることが一般的である。そして、このシャーシ部２０１の形状としては、光ディスク再生装置の筐体をコンパクトにするために、なるべく省スペース化することが求められ、また、スピンドルモータに軸支されたターンテーブルの中央から外側方向を軸としてピックアップ部をスライドさせる必要があることから、図２に示すように、ピックアップ部１４のスライド方向に対して縦長の形状となる。このため、偏荷重を有するディスクを回転させた場合にシャーシ部が振動する方向としては、図４に示すように、シャーシ部２０１の前後方向の長さが左右方向の長さよりも長いことにより、シャーシ部２０１の有する左右方向の慣性モーメントは前後方向の慣性モーメントよりも低くなるため、ピックアップ部１４のスライド方向である矢印Ｄ及びＥ方向に対して略直角となる矢印Ｆ及び矢印Ｇ方向に振動する場合と、シャーシ部２０１がシャーシ部２０１の前端の略中心から後端の略中心を軸として回転する方向に振動する場合が殆んどである。
【００４８】
本実施例の光ディスク再生装置１のシャーシ部２０１は、ピックアップ部１４のスライド方向である矢印Ｄ及びＥ方向に対して略直角となる矢印Ｆ及び矢印Ｇ方向の両端部分にそれぞれ外側に垂直面２０４を備える側面部２０２を備え、この垂直面２０４に近接した位置であって、垂直面２０４に対して平行を成すように垂直面１８１を配設した弾性部１８を備える構成としたことにより、シャーシ部２０１のピックアップ部１４のスライド方向に対して略直角となる方向である矢印Ｆ及びＧ方向の振動と、シャーシ部２０１がシャーシ部２０１の前端の略中心から後端の略中心を軸として回転する方向への振動を効果的に抑制することができる。これにより、不用意に、シャーシ部の振動を抑制するための弾性部材などをシャーシ部の周囲全体に備える必要がないため、筐体内部を省スペース化することができる。また、本実施例の光ディスク再生装置１は、弾性部材をシャーシ部の周囲全体に備えるのではなく、シャーシ部２０１の左右の位置にそれぞれベース部１７及び弾性部１８を備えるのみの構成であることから、振動を抑制するための弾性部材を必要最小限とすることができ、光ディスク再生装置１の製造コストを低減することができる。
【図面の簡単な説明】
【００４９】
【図１】本発明の一実施例の光ディスク再生装置を示す斜視図。
【図２】本実施例のディスク再生部２を示す図で、図２（ａ）は上面図。図２（ｂ）は前面図。
【図３】本実施例のディスク再生部２を示す図で、図３（ａ）はターンテーブル１１に光ディスク１０が固定された後スピンドルモータ１２がターンテーブル１１を回転させている状態を示す上面図、図３（ｂ）は図３（ａ）の前面図。
【図４】本実施例の光ディスク再生装置１が偏荷重を有する光ディスク１０を再生する状態を示す図で、図４（ａ）はターンテーブル１１に光ディスク１０が固定された後スピンドルモータ１２がターンテーブル１１を回転させている状態を示す上面図、図４（ｂ）は図４（ａ）の前面図。
【図５】従来の光ディスク再生装置のディスク再生部を示す図で、図５（ａ）は上面図、図５（ｂ）は前面図。
【図６】従来のディスク再生部２００を示す図で、図６（ａ）はターンテーブル１１に光ディスクが固定された後スピンドルモータ１２がターンテーブル１１を回転させている状態を示す上面図、図６（ｂ）は図６（ａ）の前面図。
【図７】従来の光ディスク再生装置１００がＣＤである光ディスク１０を３００ｒｐｍの回転速度で回転させて、光ディスク１０に記録されたデータを再生する状態を示す図で、図７（ａ）はターンテーブル１１に光ディスク１０が固定された後スピンドルモータ１２がターンテーブル１１を回転させている状態を示す上面図、図７（ｂ）は図７（ａ）の前面図。
【図８】従来の光ディスク再生装置１００がＤＶＤである光ディスク１０を１０００ｒｐｍの回転速度で回転させて、光ディスク１０に記録されたデータを再生する状態を示す図で、図８（ａ）はターンテーブル１１に光ディスク１０が固定された後スピンドルモータ１２がターンテーブル１１を回転させている状態を示す上面図、図８（ｂ）は図８（ａ）の前面図。
【符号の説明】
【００５０】
１  光ディスク再生装置、２  ディスク再生部、２０１  シャーシ部、
２０２  側面部、２０３  孔、２０４  垂直面、
３  出力部、４  制御部、５  表示部、８  トレイ駆動部、８０１  ディスクトレイ、
９  操作部、９０１  開閉釦、９０２  再生釦、９０３  停止釦、
１０  光ディスク、１１  ターンテーブル、１２  スピンドルモータ、
１３  ピックアップ駆動部、１３１  シャフト、１４  ピックアップ部、
１５  ゴムブッシュ、１６  スプリング、１７  ベース部、
１８  弾性部、１８１  垂直面、
２０  筐体、２１  前面パネル、２１０  開閉孔、
１００  光ディスク再生装置、２００  ディスク再生部
【図１】
2008059721.tif 000003
【図２】
2008059721.tif 000004
【図３】
2008059721.tif 000005
【図４】
2008059721.tif 000006
【図５】
2008059721.tif 000007
【図６】
2008059721.tif 000008
【図７】
2008059721.tif 000009
【図８】
2008059721.tif 000010